(57)【特許請求の範囲】
【請求項１】
外形が直方体状の部品本体、及び、先端部を該部品本体の側面に対向させ、かつ、該先端部の先端を該部品本体の底面よりも上面側に配置した複数の端子部を有する電子部品と、
前記複数の端子部とそれぞれ嵌合される複数の端子金具と、
前記電子部品及び前記複数の端子金具が収容される保持部材と、
を有し、
前記部品本体の一の側面に対向させた二つ以上の前記端子部は、第１の端子部と、該第１の端子部より強度が高い第２の端子部と、を含んでおり、
前記保持部材には、前記部品本体を収容する部品本体収容部と、前記各端子部の先端部及び前記各端子金具を収容する端子部収容部と、を設け、
前記第１の端子部を収容する第１の端子部収容部の挿入口と前記第１の端子部との間隙寸法は、前記第２の端子部を収容する第２の端子部収容部の挿入口と前記第２の端子部との間隙寸法よりも大きく形成する
ことを特徴とする電子部品と端子金具との接続構造。
【請求項２】
前記複数の端子部は、前記部品本体から突出して直角に折り曲げられている請求項１に記載の電子部品と端子金具との接続構造。
【請求項３】
前記第２の端子部の幅は、前記第１の端子部の幅よりも大きく形成されている請求項１又は２に記載の電子部品と端子金具との接続構造。
【請求項４】
前記第２の端子部は、前記第１の端子部よりも高強度の材料で成形する請求項１から３の内のいずれか１項に記載の電子部品と端子金具との接続構造。
【発明の詳細な説明】
【技術分野】
【０００１】
本発明は、電子部品と端子金具との接続構造に関するものである。
【背景技術】
【０００２】
図７は、従来のリレーの斜視図である。図８は、図７に示されたリレーの底面図である。図９は、図７に示されたリレーと端子金具との接続構造の断面図である。なお、図９においては、図示の便宜上、リレー本体３０２のみ側面図で示している。【０００３】
図７，８に示すように、従来のリレー３０１は、外形が直方体状のリレー本体３０２と、該リレー本体３０２の底面３０２ｂから突出し、端子金具３０４（図９に示す。）と嵌合される複数の板状の端子部３０３ａ，３０３ｂと、を有している。【０００４】
端子部３０３ａは、リレー本体３０２内部のコイルに通電を行うためのものである。また、端子部３０３ｂは、端子部３０３ａよりも高電圧又は大電流が印加されるものである。端子部３０３ｂは、その幅及び板厚が、端子部３０３ａの幅及び板厚よりも大きく形成されている。【０００５】
図９に示すように、従来のリレーと端子金具との接続構造３０７は、図７，８に示したリレー３０１と、該リレー３０１の複数の端子部３０３ａ，３０３ｂと嵌合される複数の端子金具３０４と、これらリレー３０１及び端子金具３０４が装着される保持部材３０６と、を有している。また、端子金具３０４は、電線３０５の端部に接続されている。【０００６】
上記保持部材３０６は、合成樹脂で構成されている。保持部材３０６には、各端子部３０３ａ，３０３ｂ及び各端子金具３０４を収容する複数の収容部３６１と、各収容部３６１内に設けられ、端子金具３０４に係止するランス３６２と、が設けられている。【０００７】
また、特許文献１には、上述したリレーと端子金具との接続構造３０７が適用された自動車用電気接続箱が開示されている。
【先行技術文献】
【特許文献】
【０００８】
【特許文献１】特開２０１０−２２１７８７号公報
【発明の概要】
【発明が解決しようとする課題】
【０００９】
上述した従来のリレーと端子金具との接続構造３０７においては、リレー３０１を保持部材３０６に装着する際、各端子部３０３ａ，３０３ｂを傾くことなく真っ直ぐに各収容部３６１に挿入することが困難であり、端子部３０３ａ，３０３ｂに変形又は破損を生じさせるおそれがある。特に、端子部３０３ａは、端子部３０３ｂよりも強度が低いので、変形又は破損のおそれが高い。【００１０】
また、上記リレー３０１においては、端子部３０３ａと端子部３０３ｂが、幅及び板厚の違いによって異なる強度となっている。しかしながら、リレーには、材料の違いによって強度が異なる複数の端子部を有するものもある。そのようなリレーにおいても、強度が低い端子部は、上記リレー３０１と同様に変形又は破損のおそれが高い。【００１１】
なお、上記リレー３０１以外の電子部品と端子金具との間においても、これらの接続構造は、電子部品を保持部材に装着する際に姿勢が傾くことにより、端子部に変形又は破損を生じさせるおそれがある。【００１２】
したがって、本発明は、電子部品を保持部材に装着する際に、電子部品の端子部が変形・破損することを防止できる電子部品と端子金具との接続構造を提供することを目的とする。
【課題を解決するための手段】
【００１３】
上記目的を達成するために、本発明は、外形が直方体状の部品本体、及び、先端部を該部品本体の側面に対向させ、かつ、該先端部の先端を該部品本体の底面よりも上面側に配置した複数の端子部を有する電子部品と、前記複数の端子部とそれぞれ嵌合される複数の端子金具と、前記電子部品及び前記複数の端子金具が収容される保持部材と、を有し、前記部品本体の一の側面に対向させた二つ以上の前記端子部は、第１の端子部と、該第１の端子部より強度が高い第２の端子部と、を含んでおり、前記保持部材には、前記部品本体を収容する部品本体収容部と、前記各端子部の先端部及び前記各端子金具を収容する端子部収容部と、を設け、前記第１の端子部を収容する第１の端子部収容部の挿入口と前記第１の端子部との間隙寸法は、前記第２の端子部を収容する第２の端子部収容部の挿入口と前記第２の端子部との間隙寸法よりも大きく形成することを特徴としている。【００１４】
ここで、前記複数の端子部は、前記部品本体から突出して直角に折り曲げられていることが望ましい。【００１５】
また、前記第２の端子部の幅は、前記第１の端子部の幅よりも大きく形成されていることが望ましい。【００１６】
また、前記第２の端子部は、前記第１の端子部よりも高強度の材料で成形することが望ましい。
【発明の効果】
【００１７】
本発明に係る接続構造においては、前記複数の端子部（例えば部品本体から突出して直角に折り曲げられている複数の端子部）の先端部が前記部品本体の側面と対向しており、かつ、その先端部の先端が部品本体の底面よりも上面側に配置されているので、電子部品を保持部材に装着する際、端子部が端子部収容部に挿入されるよりも先に部品本体が部品本体収容部に挿入され、これにより、端子部が端子部収容部に対して大まかに位置決めされる。よって、この接続構造は、端子部が電子部品の装着時に変形・破損することを防止できる。さらに、この接続構造においては、前記第１の端子部を収容する第１の端子部収容部の挿入口と前記第１の端子部との間隙寸法が、前記第２の端子部を収容する第２の端子部収容部の挿入口と前記第２の端子部との間隙寸法よりも大きく形成されているので、第２の端子部が第２の端子部収容部の挿入口近傍にぶつかったとしても、第１の端子部は第１の端子部収容部の挿入口近傍にぶつかることがない。よって、この接続構造は、第２の端子部よりも強度の低い第１の端子部をさらに保護することができる。【００１８】
また、この接続構造においては、第２の端子部の幅を第１の端子部の幅よりも大きく形成することで、第１の端子部が特に保護されているので、第１の端子部及び第２の端子部を、それぞれに印加される電圧値・電流値に応じた最適なサイズとすることができる。【００１９】
また、この接続構造においては、第２の端子部を第１の端子部よりも高強度の材料で成形することで、第１の端子部が特に保護されているので、第１の端子部及び第２の端子部を、それぞれに印加される電圧値・電流値に応じた最適な材料組成とすることができる。
【図面の簡単な説明】
【００２０】
【図１】図１は、本発明の一実施形態にかかる電子部品と端子金具との接続構造の断面図である。
【図２】図２は、図１に示されたリレーの斜視図である。
【図３】図３は、図２に示されたリレーの底面図である。
【図４】図４は、図１に示された保持部材のみの断面図である。
【図５】図５は、図１中のＡ−Ａ線に沿った断面図である。
【図６】図６は、図１に示されたリレーが保持部材に挿入される様子を示す図である。
【図７】図７は、従来のリレーの斜視図である。
【図８】図８は、図７に示されたリレーの底面図である。
【図９】図９は、図７に示されたリレーと端子金具との接続構造の断面図である。
【発明を実施するための形態】
【００２１】
本発明の一実施形態にかかる「電子部品と端子金具との接続構造」を図１〜６を参照して説明する。図１に示す電子部品と端子金具との接続構造７は、例えば自動車用電気接続箱に適用される。この電子部品と端子金具との接続構造７は、外形が直方体状のリレー本体（請求項の「部品本体」）２から複数の端子部３ａ，３ｂが突出したリレー（請求項の「電子部品」）１と、複数の端子部３ａ，３ｂとそれぞれ嵌合される複数の端子金具４と、リレー１及び複数の端子金具４が収容される保持部材６と、を有している。なお、図１，６では、リレー本体２の内部に収容されている各種部品についての図示を省略している。また、図１，４は、後述する２つの端子部収容部６１ｂにおいて、その延在方向に切った断面図である。
【００２２】
上記リレー１は、上述したように外形が直方体状のリレー本体２を有している。リレー本体２は、図２，３に示すように、対向する上面２ａ及び底面２ｂと、対向する側面２ｃ及び側面２ｄと、対向する側面２ｅ及び側面２ｆと、を有している。図３に示すように、側面２ｆには、保持部材６に係止する係止突起２１が設けられている。さらに、リレー１は、複数の端子部３ａ，３ｂを保持しかつリレー本体２の上面２ａに組み付けられる板状の樹脂部材８を有している。樹脂部材８は、インサート成形又は係止構造により複数の端子部３ａ，３ｂを保持している。
【００２３】
上記複数の端子部３ａ，３ｂは、金属板から形成されており、上述したように樹脂部材８に保持されている。端子部３ａ，３ｂの基端部は、リレー本体２内部の導体に電気接続されている。端子部３ａ，３ｂの中間部は、樹脂部材８の表面においてリレー本体２の底面２ｂ側に直角に折り曲げられている。端子部３ａ，３ｂの先端部は、リレー本体２の側面２ｃ，２ｄと対向している。これら端子部３ａ，３ｂの先端部は、後述する端子金具４の接続部４１と嵌合される。また、これら端子部３ａ，３ｂの先端は、リレー本体２の底面２ｂよりも上面２ａ側に配置されている。
【００２４】
また、上記端子部３ａ，３ｂは、合計四つ設けられており、そのうち三つが側面２ｃと対向し、残り一つが側面２ｄと対向している。詳細に説明すると、二つの端子部３ａ及び一つの端子部３ｂが側面２ｃと対向し、一つの端子部３ｂが側面２ｄと対向している。また、側面２ｃ側の二つの端子部３ａは、一つの端子部３ｂの両側に配置されている。全ての端子部３ａ，３ｂの先端は、同じ高さ位置に揃えられている。
【００２５】
端子部３ａは、リレー本体２内部のコイルに通電を行うための端子部であり、端子部３ｂは、端子部３ａよりも高電圧又は大電流が印加される端子部である。以下、端子部３ａを第１の端子部３ａと呼び、端子部３ｂを第２の端子部３ｂと呼ぶ。第２の端子部３ｂは、その幅及び板厚が、第１の端子部３ａの幅及び板厚よりも大きく形成されている。このため、第２の端子部３ｂは、第１の端子部３ａより強度が高い。
【００２６】
上記端子金具４は、金属板にプレス加工等が施されて得られるものであり、電線５の端部に接続されている。この端子金具４は、端子部３ａ，３ｂと嵌合する雌型の接続部４１と、電線５の端部において絶縁被覆が除去されて露出した芯線をかしめる圧着片４２と、絶縁被覆の部分をかしめる圧着片４３と、を有している（図１）。接続部４１は、内側に端子部３ａ，３ｂを位置付ける筒部４４と、筒部４４内に位置付けられた端子部３ａ，３ｂを筒部４４の内面側に付勢するバネ４５と、を有している。なお、この端子金具４以外に本発明では、ファストン形状の端子金具、音叉形状の端子金具を用いることも可能である。
【００２７】
上記保持部材６は、合成樹脂で構成されている。この保持部材６には、一つ又は複数のリレー収容部６３と、電気接続箱等のケースに係止する係止部（不図示）が設けられている。リレー収容部６３は、図４，５に示すように、リレー本体２を収容する部品本体収容部６０と、各端子部３ａ，３ｂの先端部及び各端子金具４を収容する端子部収容部６１ａ，６１ｂと、各端子部収容部６１ａ，６１ｂ内に設けられ、端子金具４に係止するランス６２と、が設けられている。部品本体収容部６０は、上方に開口した凹状に形成されている。端子部収容部６１ａ，６１ｂは、上下に開口した筒状に形成されている。ここで、下方とは、保持部材６に対するリレー１の挿入方向のことである。そして、上方とは、その挿入方向とは逆向きの方向のことである。
【００２８】
以下、第１の端子部３ａを収容する端子部収容部６１ａを第１の端子部収容部６１ａと呼ぶ。第２の端子部３ｂを収容する端子部収容部６１ｂを第２の端子部収容部６１ｂと呼ぶ。第１の端子部３ａは、図５に示す挿入口６５ａから第１の端子部収容部６１ａに挿入される。なお、図５中の開口６６ａは、ランス６２を形成する金型の抜き孔である。挿入口６５ａと開口６６ａは繋がっている。同様に、第２の端子部３ｂは、図４，５に示す挿入口６５ｂから第２の端子部収容部６１ｂに挿入される。なお、図４，５中の開口６６ｂは、ランス６２を形成する金型の抜き孔である。挿入口６５ｂと開口６６ｂは繋がっている。
【００２９】
図５に示すように、第１の端子部収容部６１ａの挿入口６５ａと第１の端子部３ａとの端子部板厚方向の間隙寸法Ｓ１は、第２の端子部収容部６１ｂの挿入口６５ｂと第２の端子部３ｂとの端子部板厚方向の間隙寸法Ｓ２よりも大きく形成されている。前記「端子部板厚方向の間隙寸法Ｓ１」は、第１の端子部収容部６１ａの挿入口６５ａの端子部板厚方向の寸法ｋ１から第１の端子部３ａの板厚ｔ１を引いた寸法と定義する。前記「端子部板厚方向の間隙寸法Ｓ２」は、第２の端子部収容部６１ｂの挿入口６５ｂの端子部板厚方向の寸法ｋ２から第２の端子部３ｂの板厚ｔ２を引いた寸法と定義する。
【００３０】
このような電子部品と端子金具との接続構造７を組み立てる際は、予め電線５の端部に端子金具４を接続しておき、この端子金具付き電線５を下方から第１の端子部収容部６１ａ，第２の端子部収容部６１ｂ内に挿入し、端子金具４をランス６２に係止させる。そして、この接続構造７においては、保持部材６の上方からリレー収容部６３内にリレー１を挿入し、各端子部３ａ，３ｂを各端子金具４に嵌合させて組み立てる。
【００３１】
図６に示すように、リレー１がリレー収容部６３内に挿入される際は、端子部３ａ，３ｂが端子部収容部６１ａ，６１ｂに挿入されるよりも先にリレー本体２が部品本体収容部６０に挿入され、これにより、端子部３ａ，３ｂが端子部収容部６１ａ，６１ｂに対して大まかに位置決めされる。よって、この接続構造７においては、端子部３ａ，３ｂがリレー１の装着時に変形・破損することを防止できる。
【００３２】
さらに、上述したように、この接続構造７においては、第１の端子部収容部６１ａの挿入口６５ａと第１の端子部３ａとの端子部板厚方向の間隙寸法Ｓ１が、第２の端子部収容部６１ｂの挿入口６５ｂと第２の端子部３ｂとの端子部板厚方向の間隙寸法Ｓ２よりも大きく形成されているので、第２の端子部３ｂが第２の端子部収容部６１ｂの挿入口６５ｂ近傍にぶつかったとしても、第１の端子部３ａは第１の端子部収容部６１ａの挿入口６５ａ近傍にぶつかることがない。すなわち、この接続構造７においては、第２の端子部３ｂ及び第２の端子部収容部６１ｂの挿入口６５ｂが、第１の端子部３ａを第１の端子部収容部６１ａの挿入口６５ａに挿入する際のガイドになる。よって、この接続構造７においては、第２の端子部３ｂよりも強度の低い第１の端子部３ａをさらに保護することができる。
【００３３】
また、特許請求の範囲に記載した「第１の端子部収容部の挿入口と第１の端子部との間隙寸法」及び「第２の端子部収容部の挿入口と第２の端子部との間隙寸法」は、上述した「端子部板厚方向の間隙寸法（Ｓ１，Ｓ２である）」と、「端子部幅方向の間隙寸法」の二方向ある。本発明では、少なくとも一方向の間隙寸法が、上述した条件を満たしていれば良い。
【００３４】
また、上述した実施形態において、第１の端子部３ａと第２の端子部３ｂは、その幅及び板厚の違いによって異なる強度となっている。しかし、本発明には、板厚が同じで幅のみが異なる第１の端子部，第２の端子部も含まれる。その他、本発明には、サイズではなく材料の違いによって強度が異なる第１の端子部，第２の端子部も含まれる。例えば、第２の端子部は、第１の端子部よりも高強度の材料で成形する。
【００３５】
また、上述した実施形態では二つの第１の端子部３ａ及び一つの第２の端子部３ｂがリレー本体２の一の側面２ｃと対向している構成であったが、本発明では、少なくとも一つの第１の端子部と少なくとも一つの第２の端子部がリレー本体の一の側面と対向していれば良い。また、上述した実施形態では二つの第１の端子部３ａが一つの第２の端子部３ｂの両側に配置されていたが、本発明では、第１の端子部３ａと第２の端子部３ｂの並び順は問わない。例えば、第２の端子部３ｂは、中央ではなく端に配置されていても良い。
【００３６】
なお、前述した実施形態は本発明の代表的な形態を示したに過ぎず、本発明は、実施形態に限定されるものではない。即ち、本発明に係る接続構造７は、本発明の骨子を逸脱しない範囲で種々変形して実施することができる。
【符号の説明】
【００３７】
１  リレー（電子部品）
２  リレー本体（部品本体）
２ｃ，２ｄ  側面
３ａ  第１の端子部
３ｂ  第２の端子部
４  端子金具
６  保持部材
７  電子部品と端子金具との接続構造
６０  部品本体収容部
６１ａ  第１の端子部収容部
６１ｂ  第２の端子部収容部
６５ａ，６５ｂ  挿入口
【図１】
0005990333.tif 000002
【図２】
0005990333.tif 000003
【図３】
0005990333.tif 000004
【図４】
0005990333.tif 000005
【図５】
0005990333.tif 000006
【図６】
0005990333.tif 000007
【図７】
0005990333.tif 000008
【図８】
0005990333.tif 000009
【図９】
0005990333.tif 000010